(57)【要約】  本発明の実施例はパワーヘッドルームの報告方法及び装置を提供し、前記方法は、ユーザ装置がPHの報告条件を満足した時に基地局にパワーヘッドルーム報告メッセージを送信することを含み、前記パワーヘッドルーム報告メッセージのうちD2Dリンクが多重化されたキャリアに対応する関連情報はD2DリンクのPH値及びセルラーリンクのPH値を含み、前記D2DリンクのPH値及び前記セルラーリンクのPH値は前記パワーヘッドルーム報告メッセージにおける順序がシステム構成により予め設定されたものである。本実施例の方法及び装置により、UEは正確且つタイムリーにD2Dリンクのパワーヘッドルームを基地局に報告することができ、これにより、基地局はより柔軟且つ有効にD2Dリンク及びセルラーリンクのリソースをスケジューリングすることができる。
2016509414.tif 000002
【特許請求の範囲】
【請求項１】
パワーヘッドルームの報告方法であって、
ユーザ装置が、PHの報告条件を満足した時に、基地局にパワーヘッドルーム報告メッセージを送信することを含み、
前記パワーヘッドルーム報告メッセージのうちの、D2Dリンクが多重化されたキャリアに対応する関連情報は、D2DリンクのPH値及びセルラーリンクのPH値を含み、前記D2DリンクのPH値及び前記セルラーリンクのPH値は、前記パワーヘッドルーム報告メッセージにおける順序がシステム構成により予め設定されたものである、方法。
【請求項２】
パワーヘッドルームの報告方法であって、
ユーザ装置が、PHの報告条件を満足した時に、基地局にパワーヘッドルーム報告メッセージを送信することを含み、
前記パワーヘッドルーム報告メッセージのうちの、D2Dリンクが多重化されたキャリアに対応する関連情報は、D2DリンクのPH値、セルラーリンクのPH値及びPH値指示情報を含み、前記PH値指示情報は、その対応するPH値がD2DリンクのPH値であるか、それとも、セルラーリンクのPH値であるかを指示するために用いられる、方法。
【請求項３】
パワーヘッドルームの報告方法であって、
ユーザ装置が、PHの報告条件を満足した時に、基地局にパワーヘッドルーム報告メッセージを送信することを含み、
前記パワーヘッドルーム報告メッセージのうちの、D2Dリンクが多重化されたキャリアに対応する関連情報は、D2DリンクのPH値又はセルラーリンクのPH値、及びPH値指示情報を含み、前記PH値指示情報は、その対応するPH値がD2DリンクのPH値であるか、それとも、セルラーリンクのPH値であるかを指示するために用いられる、方法。
【請求項４】
請求項1〜3の何れか１項に記載の方法であって、
前記パワーヘッドルーム報告メッセージはPH  MAC  CEである、方法。
【請求項５】
請求項1〜3の何れか１項に記載の方法であって、
前記PHの報告条件は、
PHR禁止タイマーが切れた時、又は既に切れている時に、前記ユーザ装置が新データ送信用の上りリソースを有し、且つ任意の１つの、D2Dリンクの多重化を有するアクティブなサービングセルについて、そのD2Dリンクのパスロスが変化しており且つ予め設定された閾値を超えているということである、方法。
【請求項６】
パワーヘッドルーム値の確定方法であって、
基地局が、ユーザ装置の送信したパワーヘッドルーム報告メッセージを受信し、前記パワーヘッドルーム報告メッセージのうちの、D2Dリンクが多重化されたキャリアに対応する関連情報は、D2DリンクのPH値及びセルラーリンクのPH値を含み；及び
前記基地局が、システム構成によるD2DリンクのPH値及びセルラーリンクのPH値の、パワーヘッドルーム報告メッセージにおける前後順序に基づいて、受信した全てのPH値がD2DリンクのPH値であるか、それとも、セルラーリンクのPH値であるかを確定する、ことを含む、方法。
【請求項７】
パワーヘッドルーム値の確定方法であって、
基地局が、ユーザ装置の送信したパワーヘッドルーム報告メッセージを受信し、前記パワーヘッドルーム報告メッセージのうちの、D2Dリンクが多重化されたキャリアに対応する関連情報はD2DリンクのPH値及びセルラーリンクのPH値及びPH値指示情報を含み；及び
前記基地局が、前記PH値指示情報に基づいてその対応するPH値がD2DリンクのPH値であるか、それとも、セルラーリンクのPH値であるかを確定し、そして、受信した全てのPH値がD2DリンクのPH値であるか、それとも、セルラーリンクのPH値であるかを確定する、ことを含む、方法。
【請求項８】
パワーヘッドルーム値の確定方法であって、
基地局が、ユーザ装置の送信したパワーヘッドルーム報告メッセージを受信し、前記パワーヘッドルーム報告メッセージのうちの、D2Dリンクが多重化されたキャリアに対応する関連情報はD2DリンクのPH値又はセルラーリンクのPH値、及びPH値指示情報を含み；及び
前記基地局が、前記PH値指示情報に基づいてその対応するPH値がD2DリンクのPH値であるか、それとも、セルラーリンクのPH値であるかを確定する、ことを含む、方法。
【請求項９】
ユーザ装置であって、
PHの報告条件を満足した時に、基地局にパワーヘッドルーム報告メッセージを送信するための送信ユニットであって、前記パワーヘッドルーム報告メッセージのうちの、D2Dリンクが多重化されたキャリアに対応する関連情報は、D2DリンクのPH値及びセルラーリンクのPH値を含み、前記D2DリンクのPH値及び前記セルラーリンクのPH値は、前記パワーヘッドルーム報告メッセージにおける順序がシステム構成により予め設定されたものである、送信ユニットを含む、ユーザ装置。
【請求項１０】
ユーザ装置であって、
PHの報告条件を満足した時に、基地局にパワーヘッドルーム報告メッセージを送信するための送信ユニットであって、前記パワーヘッドルーム報告メッセージのうちの、D2Dリンクが多重化されたキャリアに対応する関連情報は、D2DリンクのPH値、セルラーリンクのPH値及びPH値指示情報を含み、前記PH値指示情報は、その対応するPH値がD2DリンクのPH値であるか、それとも、セルラーリンクのPH値であるかを指示するために用いられる、送信ユニットを含む、ユーザ装置。
【請求項１１】
ユーザ装置であって、
PHの報告条件を満足した時に、基地局にパワーヘッドルーム報告メッセージを送信するための送信ユニットであって、前記パワーヘッドルーム報告メッセージのうちの、D2Dリンクが多重化されたキャリアに対応する関連情報は、D2DリンクのPH値又はセルラーリンクのPH値、及びPH値指示情報を含み、前記PH値指示情報はその対応するPH値がD2DリンクのPH値であるか、それとも、セルラーリンクのPH値であるかを指示するために用いられる、送信ユニットを含む、ユーザ装置。
【請求項１２】
請求項9〜11の何れから１項に記載のユーザ装置であって、
前記パワーヘッドルーム報告メッセージはPH  MAC  CEである、ユーザ蔵置。
【請求項１３】
請求項9〜11の何れから１項に記載のユーザ装置であって、
前記PHの報告条件は、
PHR禁止タイマーが切れた時、又は既に切れている時に、前記ユーザ装置が新データ送信用の上りリソースを有し、且つ任意の１つの、D2Dリンクの多重化を有するアクティブなサービングセルについて、そのD2Dリンクのパスロスが変化しており且つ予め設定された閾値を超えているということである、ユーザ装置。
【請求項１４】
基地局であって、
ユーザ装置が送信したパワーヘッドルーム報告メッセージを受信するための受信ユニットであって、前記パワーヘッドルーム報告メッセージのうちの、D2Dリンクが多重化されたキャリアに対応する関連情報は、D2DリンクのPH値及びセルラーリンクのPH値を含む、受信ユニット；及び
システム構成によるD2DリンクのPH値及びセルラーリンクのPH値の、パワーヘッドルーム報告メッセージにおける前後順序に基づいて、受信した全てのPH値がD2DリンクのPH値であるか、それとも、セルラーリンクのPH値であるかを確定するための確定ユニットを含む、基地局。
【請求項１５】
基地局であって、
ユーザ装置が送信したパワーヘッドルーム報告メッセージを受信するための受信ユニットであって、前記パワーヘッドルーム報告メッセージのうちの、D2Dリンクが多重化されたキャリアに対応する関連情報は、D2DリンクのPH値及びセルラーリンクのPH値及びPH値指示情報を含む、受信ユニット；及び
前記PH値指示情報に基づいてその対応するPH値がD2DリンクのPH値であるか、それとも、セルラーリンクのPH値であるかを確定し、そして、受信した全てのPH値がD2DリンクのPH値であるか、それとも、セルラーリンクのPH値であるかを確定するための確定ユニットを含む、基地局。
【請求項１６】
基地局であって、
ユーザ装置が送信したパワーヘッドルーム報告メッセージを受信するための受信ユニットであって、前記パワーヘッドルーム報告メッセージのうちの、D2Dリンクが多重化されたキャリアに対応する関連情報は、D2DリンクのPH値又はセルラーリンクのPH値、及びPH値指示情報を含む、受信ユニット；及び
前記PH値指示情報に基づいてその対応するPH値がD2DリンクのPH値であるか、それとも、セルラーリンクのPH値であるかを確定するための確定ユニットを含む、基地局。
【請求項１７】
通信システムであって、
前記通信システムは、請求項9及び12〜13の何れか１項に記載のユーザ装置及び請求項14に記載の基地局を含み、又は
前記通信システムは、請求項10及び12〜13の何れか１項に記載のユーザ装置及び請求項15に記載の基地局を含み、又は
前記通信システムは、請求項11〜13の何れか１項に記載のユーザ装置及び請求項16に記載の基地局を含む、通信システム。
【請求項１８】
コンピュータ読み取り可能なプログラムであって、
基地局中で前記プログラムを実行する時に、前記プログラムは、コンピュータに、前記基地局中で請求項6〜8の何れか１項に記載のパワーヘッドルーム値の確定方法を実行させるための、プログラム。
【請求項１９】
コンピュータ読み取り可能なプログラムを記憶した記憶媒体であって、
前記コンピュータ読み取り可能なプログラムは、コンピュータに、基地局中で請求項6〜8の何れか１項に記載のパワーヘッドルーム値の確定方法を実行させるためのプログラムである、記憶媒体。
【請求項２０】
コンピュータ読み取り可能なプログラムであって、
端末装置中で前記プログラムを実行する時に、前記プログラムは、コンピュータに、前記端末装置中で請求項1〜5の何れか１項に記載のパワーヘッドルームの報告方法を実行させるための、プログラム。
【請求項２１】
コンピュータ読み取り可能なプログラムを記憶した記憶媒体であって、
前記コンピュータ読み取り可能なプログラムは、コンピュータに、端末装置中で請求項1〜5の何れか１項に記載のパワーヘッドルームの報告方法を実行させるためのプログラムである、記憶媒体。
【発明の詳細な説明】
【技術分野】
【０００１】
本発明は、通信システムに関し、特に、D2D（Device  to  Device；装置対装置）通信方式下での新型PHR（Power  Headroom  Report；パワーヘッドルーム報告）に関する。
【背景技術】
【０００２】
従来のセルラー無線通信システムでは、ユーザ（UE；User  Equipment）が相手側のユーザと通信を行う時に、相手側のユーザの位置にもかかわらず、ユーザが相手側のユーザに送信すべきデータを基地局に送信し、その後、コアネットワークを経由してから、相手側のユーザをサービングする基地局がデータを相手側のユーザに送信する必要があり；逆に、同様に、相手側のユーザから送信されたデータも、“基地局−コアネットワーク−基地局”という径路を経由して送信され、最後に、ユーザにより無線インターフェースにて受信される必要がある。このように、下記のような状況が現れることがある。即ち、２つの互いにデータを交換するユーザが非常に近い位置、例えば、隣接する基地局又は同一基地局の下での位置に位置しても、従来の無線通信方式の制限のせいで、両者間のデータ交換は、依然として“基地局−コアネットワーク−基地局”の方式で行われる必要がある。明らかのように、２つのユーザの距離が非常に近い場合、このような交換方式は、コアネットワークの負担を増やすのみならず、端末のエネルギーも大量に消耗する。なぜなら、このような場合、端末と基地局との間の距離が往々して２つの端末間の距離を超えるため、端末がより多くのエネルギーを使ってデータを送信する必要があるからである。よって、このような場合、距離が非常に近い２つのユーザは、図1及び図2に示すように、D2D通信の方式を採用することができ、即ち、２つの端末の間のD2Dリンクを用いてデータの送信及び受信を直接行う。そのうち、図1は、D2Dリンクの両端のユーザが同一基地局の下にあることを示し、図2は、D2Dリンクの両端のユーザが隣接する基地局の下にあることを示す。
【０００３】
今のところ、D2D通信方式を採用する時に、D2Dリンクは、図3に示すように、独立した周波数を採用しても良く、セルラーリンクと一緒にLTE−Aシステムの上りキャリアに多重化されても良い。図3では、LTE−Aの上りキャリアがF1であり、下りキャリアがF2であり、セルラーリンク及びD2DリンクがF1に時分割多重化されるとする。D2DリンクとセルラーリンクがLTE−Aの上りキャリアに多重化され、D2Dリンクのスケジューリングが依然として基地局により制御され、これにより、リソース浪費及び干渉を抑えることができる。
【０００４】
他方で、LTE−Aシステムでは、上り下りリンクのリソースのスケジューリングがともに基地局により制御されるため、リソースをより良くスケジューリングするために、基地局がユーザからのリンクのチャネル状況の報告を要し、例えば、CQI（Channel  Quality  Indication；チャネル品質指示）などの情報の報告を要する。このように、基地局は、ユーザに、適切な変調符号化レベルを割り当てることができる。また、基地局は更に、ユーザの遠近効果をより良く克服するために、また、ユーザの送信パワーがその最大送信パワーを超えないように制御するために、ユーザの送信パワーを制御する必要がある。よって、ユーザは更に、基地局にPH（Power  Header；パワーヘッドルーム）値を報告する必要がある。この過程はPHR（Power  Header  Report；パワーヘッドルーム報告）と称される。さらに、基地局が上りリンクリソースを割り当てる時に、また、ユーザの上りリンク上の変調符号化レベルを選択する時に、PHRを参照することもできる。これにより、PHRは、基地局がリソースをスケジューリングすることに有意義であることが明らかである。
【０００５】
D2D通信方式では、D2Dリンクのリソースも同様に基地局により制御されるため、D2D通信方式の下で、PHRが基地局のスケジューリングにとって、依然として１つの非常に有用な参照情報であることが予測され得る。即ち、D2DリンクのPH値もユーザにより基地局に報告される必要がある。
【０００６】
LTE−AシステムのPHR過程では、PH値がPH  MAC  CE（Power  Headroom  MAC  Control  element）に含まれて、ユーザにより基地局に報告されるものであり、そのうち、ユーザの各アクティブなキャリア上のPH値を含む。上りリンクが１つのみのキャリアを有する場合、この唯一の上りキャリア上のPH値を含み、それは、システムに基づいて構成することができ、また、図4又は図5中のPH  MAC  CEフォーマットを採用することができる。上りリンクが複数のキャリアを有する場合、図5中の拡張PH  MAC  CEフォーマットを採用することができる。
【０００７】
具体的には、図4では、PH値がこの唯一の上りキャリアに対応するPH値であり、そのタイプがタイプ1であり、且つその値が真の値である。そのうち、Rは予備ビットである。また、図5では、その制御エレメントの定義及び説明は以下のとおりである。
【０００８】
Ci：制御エレメント中の第１番目的バイトにあり、Ciの位置がシステム定義のセカンダリーセルに対応し（即ち、各Ciが１つのセカンダリーセルに一対一対応する。）、その値は、その対応するセカンダリーセルのセルラーリンクのPH値が存在するかどうかを示す。その値が“1”であるとき、セカンダリーセルに対応するPH値が出現し得ることを示し；その値が“0”であるとき、セカンダリーセルに対応するPH値が出現しないことを示す。また、異なるセカンダリーセルのセルラーリンクのPH値が出現する順序は、その対応するCiが出現する順序とは同じである。プライマリーセル（PCell）については、そのPH値が必ず出現するものであり、且つ一番最初に出現するものである。プライマリーセルは、タイプ1及びタイプ2という２種類のPH値を有する。プライマリーセルのタイプ1のPH値が必ず出現するが、タイプ2のPH値が出現するかどうかはシステムの上位層により構成される。セカンダリーセル（SCell）は、１種類のタイプのPH値のみが出現することができ、即ち、タイプ1のPH値のみが出現し得る。上りには１つのキャリアのみがある場合、PH  MAC  CE中でプライマリーセルのセルラーリンクのPH値のみが出現し得る。
【０００９】
Vビット：対応するPH値が真のPH値か、それとも仮想のPH値であるかを示すことができ、例えば、V=1は対応するPH値が真のものであることを示し、V=0は対応するPH値が仮想のものであることを示す。また、それは更に、対応するPCMAX,cが出現するかどうかを指示するために用いられ、V=1は、PCMAX,cが出現し得ることを示し、即ち、対応するPH値が真の値である時のみに、ユーザはPCMAX,cを報告し；V=0は、PCMAX,cが出現しないことを示し、即ち、対応するPH値が仮想のものである時に、ユーザはPCMAX,cを報告しない。
【００１０】
PCMAX,c：出現すれば、ユーザ側でPH値を計算する時に用いられる関連パラメータを示す。
【００１１】
Pビット：ユーザが、パワー管理によるパワーバックオフ（power  backoff）を用いたかどうかを示すために用いられる。仮に、パワー管理によるパワーバックオフがないという条件の下で、対応するPCMAX,cが異なる値を有するとすると、このとき、ユーザは、Pビットを1と設定すべきである。
【００１２】
Rビット：予備ビットである。
【００１３】
発明者が本発明の実現過程において下記のことを発見した。即ち、D2D通信方式中のPHR過程では、依然として、LTE−AシステムのもとからあるPH  MAC  CEフォーマットをそのまま採用すれば、各キャリアに対応して１つのみのリンクのPH値があり、即ち、セルラーリンクのPH値のみがあり、そのため、D2Dリンクとセルラーリンクとが動的にLTE−Aシステムの上りキャリアに多重化されれば、下記のような問題が現れ得る。
【００１４】
1、基地局が、ユーザが１つのPHR中で某上りキャリア中のD2Dリンク及びセルラーリンクのPH値（例えば、１つの真の値、１つの仮想の値）を同時に報告することを要するとき、もとからあるフォーマットは、それをサポートできず；
2、基地局が、ユーザが１つのPHR中で各上りキャリアについて１つのみのPH値を報告することを要するとき、下りリンクにおいてリソースを割り当てるPDCCHが場合によって紛失することがある（例えば、端末が正確に受信することができない場合）ため、幾つかの、基地局が予測できいことを引き起こす可能性があり、例えば、ユーザが本来は現在のTTIのD2Dリンク上でデータを送信すべきであるが実際は送信せず、又は、本来はD2Dリンク上でデータを送信すべきではないが実際はD2Dリンク上でデータを送信してしまい、このとき、基地局は、ユーザが報告したPH値が、D2Dリンクのものであるか、それとも、セルラーリンクのものであるかを把握することができない。PH値がどのリンクのものであるかを確定した場合のみ、従来のフォーマット中のVビットを用いることにより、基地局は、PH値の正確な種類を正確に判断することができる。
【００１５】
また、PHRのトリガー条件も複数あり、例えば、周期性トリガー及びイベントトリガーがある。周期性トリガーは、基地局がとても長い期間内にPHRを受信することができないことが無いように保証することができ、イベントトリガーは、基地局のスケジューリングに酷く影響する幾つかのイベントが発生した時に、基地局が、周期性トリガーの場合のように現在の周期が終わった後にPHRを取得するのではなく、PHRをタイムリーに取得することができるように保証することができる。イベント性トリガー条件には、下記のように４つの場合がある。
【００１６】
1、PHR禁止タイマーが切れた時、又は既に切れていると同時に、前回のPHR送信の後に、ユーザが新データ送信用の上りリソースを有する時に、少なくとも１つのパスロス参照用のアクティブなサービングセルのパスロスが変化しており且つ１つの閾値を超えている場合、PHRをトリガーし；
2、上位層がパワーヘッドルーム報告機能を構成又は再構成する時に、この構成又は再構成がパワーヘッドルーム報告機能除去用でない場合、PHRをトリガーし；
3、上りリンクが構成された１つのセカンダリーセルがアクティブにされた時に、PHRをトリガー；
4、PHR禁止タイマーが切れた時、又は既に切れている時に、ユーザが新データ送信用の上りリソースを有し、且つ、上りリンクが構成された任意の１つのアクティブなサービングセルについて、現在のTTI（Transmission  Time  Interval）の下記条件が真である時に、PHRをトリガーし、即ち、現在のセルにおいて伝送用の上りリソース又はPUCCH(Physical  Uplink  Control  Channel)伝送があり、且つ、前回のこのセルに上りリソース伝送用又はPUCCH伝送があった時におけるPHR送信の後に、パワー管理による現在のセルのパワーバックオフが変化しており且つ所定の閾値を超えている。
【００１７】
発明者が本発明の実現過程において下記のことを発見した。即ち、上述の４つの時間トリガー条件のうち、トリガー条件1は、主に、パスロス参照用のサービングセルのパスロスの変化を考慮した。なお、ここで言うサービングセルとは全てセルラーリンクのことを指す。しかし、D2D通信方式では、パスロス参照は、セルラーリンクではなく、D2Dリンク中の参照信号であるべきであり、その特徴は、セルラーリンクのパスロス参照信号とは異なる可能性があり；また、D2Dリンクの長さは、セルラーリンクと比べて、より近いことが明らかであり、そのリンク長さの同様な距離の変化は、リンクのロスへの影響がセルラーリンクよりも大きい。よって、D2Dのパスロスの変化を反映するために、依然として、トリガー条件1中のトリガー条件をそのまま用いることは適切ではなく、新しいトリガー条件を定義する必要がある。
【００１８】
参考文献：
[非特許文献1]：3GPP  TS  36.331  V11.1.0(2012-09)  Radio  Resource  Control  (RRC)  specification.(Release  11)
[非特許文献2]：3GPP  TS  36.321  V11.0.0(2012-09).  Medium  Access  Control  (MAC)  protocol  specification.(Release  11)
なお、上述の背景技術についての紹介は、本発明の技術案を明確且つ完全に説明し、当業者がそれを理解しやすいためのものである。これらの案は、本発明の背景技術の部分に記述されているため、当業者にとって周知であると解釈すべきではない。
【発明の概要】
【発明が解決しようとする課題】
【００１９】
本発明の実施例の目的は、UEが正確且つタイムリーにD2Dリンクのパワーヘッドルームを基地局に報告するように、パワーヘッドルームの報告方法及び装置を提供することにある。
【課題を解決するための手段】
【００２０】
本発明の実施例の第一側面によれば、パワーヘッドルームの報告方法が提供され、そのうち、前記方法は、
ユーザ装置が、PHの報告条件を満足したときに、基地局にパワーヘッドルーム報告メッセージを送信することを含み、前記パワーヘッドルーム報告メッセージのうちD2Dリンクが多重化されたキャリアに対応する関連情報は、D2DリンクのPH値及びセルラーリンクのPH値を含み、そのうち、前記D2DリンクのPH値及び前記セルラーリンクのPH値は、パワーヘッドルーム報告メッセージにおける順序がシステム構成に基づいて予め設定されたものである。
【００２１】
本発明の実施例の第二側面によれば、パワーヘッドルームの報告方法が提供され、そのうち、前記方法は、
ユーザ装置が、PHの報告条件を満足したときに、基地局にパワーヘッドルーム報告メッセージを送信することを含み、前記パワーヘッドルーム報告メッセージのうちD2Dリンクが多重化されたキャリアに対応する関連情報は、D2DリンクのPH値、セルラーリンクのPH値及びPH値指示情報を含み、そのうち、前記PH値指示情報は、その対応するPH値がD2DリンクのPH値であるか、それとも、セルラーリンクのPH値であるかを指示するために用いられる。
【００２２】
本発明の実施例の第三側面によれば、パワーヘッドルームの報告方法が提供され、そのうち、前記方法は、
ユーザ装置が、PHの報告条件を満足した時に、基地局にパワーヘッドルーム報告メッセージを送信することを含み、前記パワーヘッドルーム報告メッセージのうちD2Dリンクが多重化されたキャリアに対応する関連情報は、D2DリンクのPH値又はセルラーリンクのPH値、及びPH値指示情報を含み、そのうち、前記PH値指示情報は、その対応するPH値がD2DリンクのPH値であるか、それとも、セルラーリンクのPH値であるかを指示するために用いられる。
【００２３】
本発明の実施例の第四側面によれば、パワーヘッドルーム値の確定方法が提供され、そのうち、前記方法は、
基地局がユーザ装置の送信したパワーヘッドルーム報告メッセージを受信し、前記パワーヘッドルーム報告メッセージのうちD2Dリンクが多重化されたキャリアに対応する関連情報は、D2DリンクのPH値及びセルラーリンクのPH値を含み；及び
前記基地局が、システム構成によるD2DリンクのPH値及びセルラーリンクのPH値のパワーヘッドルーム報告メッセージにおける前後順序に基づいて、受信した全てのPH値がD2DリンクのPH値であるか、それとも、セルラーリンクのPH値であるかを確定する、ことを含む。
【００２４】
本発明の実施例の第五側面によれば、パワーヘッドルーム値の確定方法が提供され、そのうち、前記方法は、
基地局がユーザ装置の送信したパワーヘッドルーム報告メッセージを受信し、前記パワーヘッドルーム報告メッセージのうちD2Dリンクが多重化されたキャリアに対応する関連情報はD2DリンクのPH値及びセルラーリンクのPH値及びPH値指示情報を含み；及び
前記基地局が前記PH値指示情報に基づいてその対応するPH値がD2DリンクのPH値であるか、それとも、セルラーリンクのPH値であるかを確定し、そして、受信した全てのPH値がD2DリンクのPH値であるか、それとも、セルラーリンクのPH値であるかを確定する、ことを含む。
【００２５】
本発明の実施例の第六側面によれば、パワーヘッドルーム値の確定方法が提供され、そのうち、前記方法は、
基地局がユーザ装置の送信したパワーヘッドルーム報告メッセージを受信し、前記パワーヘッドルーム報告メッセージのうちD2Dリンクが多重化されたキャリアに対応する関連情報はD2DリンクのPH値又はセルラーリンクのPH値、及びPH値指示情報を含み；及び
前記基地局が前記PH値指示情報に基づいてその対応するPH値がD2DリンクのPH値であるか、それとも、セルラーリンクのPH値であるかを確定する、ことを含む。
【００２６】
本発明の実施例の第七側面によれば、ユーザ装置が提供され、そのうち、前記ユーザ装置は、
PHの報告条件を満足した時、基地局にパワーヘッドルーム報告メッセージを送信するための送信ユニットであって、前記パワーヘッドルーム報告メッセージのうちD2Dリンクが多重化されたキャリアに対応する関連情報はD2DリンクのPH値及びセルラーリンクのPH値を含み、そのうち、前記D2DリンクのPH値及び前記セルラーリンクのPH値の前記パワーヘッドルーム報告メッセージにおける順序はシステム構成により予め設定されたものである。
【００２７】
本発明の実施例の第八側面によれば、ユーザ装置が提供され、そのうち、前記ユーザ装置は、
PHの報告条件を満足した時に、基地局にパワーヘッドルーム報告メッセージを送信するための送信ユニットであって、前記パワーヘッドルーム報告メッセージのうちD2Dリンクが多重化されたキャリアに対応する関連情報はD2DリンクのPH値、セルラーリンクのPH値及びPH値指示情報を含み、そのうち、前記PH値指示情報はその対応するPH値がD2DリンクのPH値であるか、それとも、セルラーリンクのPH値であるかを指示するために用いられる、送信ユニットを含む。
【００２８】
本発明の実施例の第九側面によれば、ユーザ装置が提供され、そのうち、前記ユーザ装置は、
PHの報告条件を満足した時、基地局にパワーヘッドルーム報告メッセージを送信するための送信ユニットであって、前記パワーヘッドルーム報告メッセージのうちD2Dリンクが多重化されたキャリアに対応する関連情報はD2DリンクのPH値又はセルラーリンクのPH値、及びPH値指示情報を含み、そのうち、前記PH値指示情報はその対応するPH値がD2DリンクのPH値であるか、それとも、セルラーリンクのPH値であるかを指示するために用いられる、送信ユニットを含む。
【００２９】
本発明の実施例の第十側面によれば、基地局が提供され、そのうち、前記基地局は、
ユーザ装置が送信したパワーヘッドルーム報告メッセージを受信するための受信ユニットであって、前記パワーヘッドルーム報告メッセージのうちD2Dリンクが多重化されたキャリアに対応する関連情報はD2DリンクのPH値及びセルラーリンクのPH値を含む、受信ユニット；及び
システム構成によるD2DリンクのPH値及びセルラーリンクのPH値のパワーヘッドルーム報告メッセージにおける前後順序に基づいて、受信した全てのPH値がD2DリンクのPH値であるか、それとも、セルラーリンクのPH値であるかを確定するための確定ユニットを含む。
【００３０】
本発明の実施例の第十一側面によれば、基地局が提供され、そのうち、前記基地局は、
ユーザ装置が送信したパワーヘッドルーム報告メッセージを受信するための受信ユニットであって、前記パワーヘッドルーム報告メッセージのうちD2Dリンクが多重化されたキャリアに対応する関連情報はD2DリンクのPH値及びセルラーリンクのPH値及びPH値指示情報を含む、受信ユニット；及び
前記PH値指示情報に基づいてその対応するPH値がD2DリンクのPH値であるか、それとも、セルラーリンクのPH値であるかを確定し、そして、受信した全てのPH値がD2DリンクのPH値であるか、それとも、セルラーリンクのPH値であるかを確定するための確定ユニットを含む。
【００３１】
本発明の実施例の第十二側面によれば、基地局が提供され、そのうち、前記基地局は、
ユーザ装置が送信したパワーヘッドルーム報告メッセージを受信するための受信ユニットであって、前記パワーヘッドルーム報告メッセージのうちD2Dリンクが多重化されたキャリアに対応する関連情報はD2DリンクのPH値又はセルラーリンクのPH値、及びPH値指示情報を含む、受信ユニット；及び
前記PH値指示情報に基づいてその対応するPH値がD2DリンクのPH値であるか、それとも、セルラーリンクのPH値であるかを確定するための確定ユニットを含む。
【００３２】
本発明の実施例の第十三側面によれば、通信システムが提供され、そのうち、前記通信システムは、第七側面に記載のユーザ装置及び第十側面に記載の基地局を含み、又は前記通信システムは、第八側面に記載のユーザ装置及び第十一側面に記載の基地局を含み、又は前記通信システムは、第九側面に記載のユーザ装置及び第十二側面に記載の基地局を含む。
【００３３】
本発明の実施例の他の側面によれば、コンピュータ読み取り可能なプログラムが更に提供され、そのうち、基地局中で該プログラムを実行する時に、該プログラムは、コンピュータに、前記基地局中で前述の第四側面、第五側面、第六側面の何れか１つに記載のパワーヘッドルーム値の確定方法を実行させる。
【００３４】
本発明の実施例の他の側面によれば、コンピュータ読み取り可能なプログラムを記憶した記憶媒体が更に提供され、そのうち、該コンピュータ読み取り可能なプログラムは、コンピュータに、基地局で前述の第四側面、第五側面、第六側面の何れか１つに記載のパワーヘッドルーム値の確定方法を実行させる。
【００３５】
本発明の実施例の他の側面によれば、コンピュータ読み取り可能なプログラムが更に提供され、そのうち、端末装置で該プログラムを実行する時に、該プログラムは、コンピュータに、前記端末装置中で前述の第一側面、第二側面、第三側面の何れか１つに記載のパワーヘッドルームの報告方法を実行させる。
【００３６】
本発明の実施例の他の側面によれば、コンピュータ読み取り可能なプログラムを記憶した記憶媒体が更に提供され、そのうち、該コンピュータ読み取り可能なプログラムは、コンピュータに、端末装置中で前述の第一側面、第二側面、第三側面の何れか１つに記載のパワーヘッドルームの報告方法を実行させる。
【００３７】
本発明の実施例の有益な効果は、本実施例の方法及び装置により、UEが正確且つタイムリーにD2Dリンクのパワーヘッドルームを基地局に報告することができ、これにより、基地局がより柔軟且つ有効にD2Dリンク及びセルラーリンクのリソースをスケジューリングすることができる。
【００３８】
後述の説明及び図面の参照により、本発明の特定の実施方式が詳しく開示されており、本発明の原理を採用し得る態様が示されている。なお、本発明の実施方式は、範囲上ではそれによって限定されない。添付した特許請求の範囲内であれば、本発明の実施方式は、様々な変更、修正及び代替によるものを含んでも良い。
【００３９】
また、１つの実施方式について説明した及び／又は示した特徴は、同じ又は類似する方式で１つ又は複数の他の実施方式に用い、他の実施方式中の特徴と組み合わせ、又は他の実施方式中の特徴を置換することができる。
【００４０】
なお、「含む／有する」のような用語は、本明細書に使用される時に、特徴、要素、ステップ、又はアセンブルの存在を指すが、１つ又は複数の他の特徴、要素、ステップ、又はアセンブリの存在又は付加を排除しないということも指す。
【図面の簡単な説明】
【００４１】
以下の図面を参照することで、本発明の多くの側面をより良く理解することができる。図面中の部品は、比例して描いたものではなく、本発明の原理を示すためのものである。また、本発明の一部を便利に示す及び説明するために、図面中の対応する一部を拡大又は縮小することもある。本発明の１つの図面又は１つの実施方式に説明した要素及び特徴は、１つ又は複数の他の図面又は実施方式に示した要素及び特徴と組み合わせても良い。また、図面では、類似する文字が幾つかの図面中の対応する部品を示し、また、複数の実施方式に用いられる対応する部品を示しても良い。
【図１】端末の同一基地局下でのD2D通信を示す図である。
【図２】端末の異なる基地局下でのD2D通信を示す図である。
【図３】セルラーリンク及びD2Dリンクの多重化を示す図である。
【図４】パワーヘッドルームMAC制御エレメントの構造を示す図である。
【図５】拡張パワーヘッドルームMAC制御エレメントの構造を示す図である。
【図６】本発明の実施例1におけるPH値の報告方法のフローチャートである。
【図７】図6の実施例において上りリンクが１つのみのキャリアを有する時のPH  MAC  CEの構造を示す図である。
【図８】図6の実施例において上りリンクが少なくとも１つのキャリアを有し且つD2Dリンクがプライマリーセルの上りキャリアに多重化された時のPH  MAC  CEの構造を示す図である。
【図９】図6の実施例において上りリンクが少なくとも１つのキャリアを有し且つD2Dリンクがプライマリーセルの上りキャリアに多重化された時のPH  MAC  CEの構造を示す図である。
【図１０】図6の実施例に対応するPH値の確定方法のフローチャートである。
【図１１】本発明の実施例3におけるPH値の報告方法のフローチャートである。
【図１２】図11の実施例において上りリンクが１つのみのキャリアを有する時のPH  MAC  CEの構造を示す図である。
【図１３】図11の実施例において上りリンクが少なくとも１つのキャリアを有し且つD2Dリンクがプライマリーセルの上りキャリアに多重化された時のPH  MAC  CEの構造を示す図である。
【図１４】図11の実施例において上りリンクが少なくとも１つのキャリアを有し且つD2Dリンクがプライマリーセルの上りキャリアに多重化された時のPH  MAC  CEの構造を示す図である。
【図１５】図11の実施例に対応するPH値の確定方法のフローチャートである。
【図１６】本発明の実施例5におけるPH値の報告方法のフローチャートである。
【図１７】図16の実施例において上りリンクが１つのみのキャリアを有する時のPH  MAC  CEの構造を示す図である。
【図１８】図16の実施例において上りリンクが少なくとも１つのキャリアを有し且つD2Dリンクがプライマリーセルの上りキャリアに多重化された時のPH  MAC  CEの構造を示す図である。
【図１９】図16の実施例において上りリンクが少なくとも１つのキャリアを有し且つD2Dリンクがプライマリーセルの上りキャリアに多重化された時のPH  MAC  CEの構造を示す図である。
【図２０】図16の実施例に対応するPH値の確定方法のフローチャートである。
【図２１】図6の実施例に対応するユーザ装置の構成を示す図である。
【図２２】図10の実施例に対応する基地局の構成を示す図である。
【図２３】図11の実施例に対応するユーザ装置の構成を示す図である。
【図２４】図15の実施例に対応する基地局の構成を示す図である。
【図２５】図16の実施例に対応するユーザ装置の構成を示す図である。
【図２６】図20の実施例に対応する基地局の構成を示す図である。
【発明を実施するための形態】
【００４２】
図面及び以下の説明を参照することにより、本発明の前述及び他の特徴がより明確になる。なお、これらの実施方式は例示にすぎず、本発明を限定するものではない。当業者が本発明の原理及び実施方式を容易に理解し得るために、本発明の実施方式では、D2Dリンク及びセルラーリンクがLTE−Aシステムの上りキャリア中に多重化された場合を例として、本実施例の方法について説明を行っているが、理解すべきは、本発明の実施例が上述のシナリオに限られず、PHR報告に関する他のシナリオにも適用し得るということである。
【実施例１】
【００４３】
本発明の実施例ではパワーヘッドルームの報告方法が提供される。図6は該方法のフローチャートであり、図6に示すように、該方法は下記のステップを含む。
【００４４】
ステップ601：ユーザ装置は、PHの報告条件を満足した時、基地局にパワーヘッドルーム報告メッセージを送信し、前記パワーヘッドルーム報告メッセージのうちD2Dリンクが多重化されたキャリアに対応する関連情報はD2DリンクのPH値及びセルラーリンクのPH値を含み、そのうち、前記D2DリンクのPH値及び前記セルラーリンクのPH値は、前記パワーヘッドルーム報告メッセージにおける順序がシステム構成により予め設定されたのである。
【００４５】
本実施例では、該パワーヘッドルーム報告メッセージはPH  MAC  CEである。該PH  MAC  CEは、D2DリンクのPH値のみならず、セルラーリンクのPH値も含み、端末（即ち、該ユーザ装置）が、１つのPH  MAC  CE中での、同一キャリアに多重化されたD2DリンクのPH値及びセルラーリンクのPH値の同時報告を許し、PHRがトリガーされた時に、端末は、このキャリアに対応する位置で順にD2DリンクのPH値及びセルラーリンクのPH値を報告する。
【００４６】
本実施例及び他の実施例では、主に、該パワーヘッドルーム報告メッセージのうちD2Dリンクが多重化されたキャリアの関連情報中のPH値のリンクタイプ、指示方式などについて説明するが、該パワーヘッドルーム報告メッセージのうちの他の従来の標準と同じ内容については、従来の標準を参照することができるため、その内容をここに援用し、その詳しい説明を省略する。つまり、パワーヘッドルーム報告メッセージは、各キャリアのPH値などの関連情報を含むが、本発明は、主に、D2Dリンクが多重化されたキャリアについて、該D2Dリンクが多重化されたキャリアの関連情報中のその関連するPH値のリンクタイプ、指示方式などについて説明する。よって、特段の説明が無い限り、本発明の各実施例中に記載のD2DリンクのPH値、セルラーリンクのPH値などは全てこれを前提とする。
【００４７】
本実施例では、上述の２つのPH値は、そのPH  MAC  CEにおける相対位置が固定したものであり、その順序はシステム構成により予め設定されたものである。例えば、PH  MAC  CEの中で、先にD2DリンクのPH値が出現し、それから、セルラーリンクのPH値が出現しても良く、又は、その逆であっても良い。
【００４８】
本実施例の１つの実施方式では、上りリンクが１つのみのキャリアを有し、該実施方式では、PH  MAC  CEが図7に示すような構造として構成されても良い。図7に示すように、該実施方式では、システムが予め構成したセルラーリンクのPH値が、D2DリンクのPH値の前に位置し、この場合、ユーザ装置が基地局にPH  MAC  CEを送信する時に、図7に示す構造を用いて送信することができる。もちろん、図7に示すPH  MAC  CEの構造は、上りリンクが１つのみのキャリアを有する場合の例示説明用にすぎず、上りリンクが１つのみのキャリアを有する他の実施方式では、システムは、D2DリンクのPH値がセルラーリンクのPH値の前に位置すると規定しても良い。
【００４９】
本実施例のもう１つの実施方式では、上りリンクが少なくとも１つのキャリアを有し、例えば、上りリンクが１つのキャリアを有し、又は上りリンクが複数のキャリアを有し、この場合、該実施方式では、D2Dリンクがプライマリーセルの上りキャリアに多重化されれば、PH  MAC  CEが図8に示すような構造として構成されても良く；D2Dリンクがセカンダリーセルの上りキャリアに多重化されれば、PH  MAC  CEが図9に示すような構造として構成されても良い。
【００５０】
そのうち、端末が複数のD2Dリンクを有する場合、複数のD2Dリンクが同時にプライマリーセル及びセカンダリーセルの上りキャリアに多重化され、又は同時に複数のセカンダリーセルの上りキャリアに多重化されても良い。複数のD2Dリンクが同時にプライマリーセル及びセカンダリーセルの上りキャリアに多重化された時に、そのPH  MAC  CEは、同時に図8及び図9の特徴を有するように構成されても良く、即ち、D2Dリンクの多重化があるプライマリーセル及びセカンダリーセルの上りキャリアは、その各自の対応するPH値が、D2DリンクのPH値だけではなく、セルラーリンクのPH値も含み、且つ相対位置が固定したものであり；複数のD2Dリンクが同時に複数のセカンダリーセルの上りキャリアに多重化された場合、そのPH  MAC  CEのうちD2Dリンクが多重化された上りキャリア（セカンダリーセルの上りキャリア）に対応するPH値が、D2DリンクのPH値のみならず、セルラーリンクのPH値も含み、且つ相対位置が固定したものである。
【００５１】
図8に示すように、D2Dリンクがプライマリーセル（PCell）の上りキャリアに多重化された時に、本実施例の方法により、該プライマリーセルの上りキャリアについて、ユーザ装置は、その対応するセルラーリンクのPH値及びD2DリンクのPH値を報告する必要がある。システムが予め構成したD2DリンクのPH値が該プライマリーセルのセルラーリンクのPH値の後に位置する場合、ユーザ装置は、基地局にPH  MAC  CEを送信する時に、図8に示す構造を用いて送信することができる。もちろん、図8に示すPH  MAC  CEの構造は例示説明用にすぎず、システムは、D2DリンクのPH値が該プライマリーセルのセルラーリンクの２種類のタイプ（タイプ1及びタイプ2であり、以下は同様。）のPH値の前に位置するように予め構成しても良く、また、D2DリンクのPH値が該プライマリーセルのセルラーリンクの２種類のタイプのPH値の中間に位置するように予め構成しても良い。本実施例では、システムは、この２種類のリンク（D2Dリンク及びセルラーリンクであり、以下は同様。）のPH値の任意の１種類の相対位置を、その構成が基地局及び端末にとって既知のものであるように、事前に構成しても良い。図8では、D2DリンクのPH値がタイプ1であるが、これは例示説明用にすぎず、D2DリンクのPH値は他のタイプであっても良い。
【００５２】
図9に示すように、D2Dリンクがセカンダリーセル（SCell）の上りキャリアに多重化された時に、本実施例の方法により、該セカンダリーセルの上りキャリアについて、ユーザ装置は、その対応するセルラーリンクのPH値及びD2DリンクのPH値を報告する必要がある。システムが予め構成したD2DリンクのPH値が該セカンダリーセルのセルラーリンクのPH値の後に位置する場合、ユーザ装置は、基地局にPH  MAC  CEを送信する時に、図9に示す構造で送信することができる。もちろん、図9に示すPH  MAC  CEの構造は、例示説明用にすぎず、システムは、D2DリンクのPH値が該セカンダリーセルのセルラーリンクのPH値の前に位置するように予め構成しても良い。本実施例では、システムは、この２種類のリンクのPH値の任意の１種類の相対位置を、その構成が基地局及び端末にとって既知のものであうように事前に構成しても良い。図9では、D2DリンクのPH値がタイプ1であるが、これは例示説明用にすぎず、D2DリンクのPH値は他のタイプであっても良い。
【００５３】
オプションで、図8及び図9に示す実施方式では、同時に該D2Dリンクの最大送信パワー、例えば、図8に示すようなPCMAX,c3又は図9に示すPCMAX,cn+1を報告しても良く、これにより、基地局はそれに基づいて合理なスケジューリングを行うことができる。
【００５４】
本実施例では、従来のPHRトリガー条件（即ち、PHの報告条件）をそのまま用いることができるが、より良くD2Dリンクの信号特性を反映するために、該PHRについて新しいトリガー条件を定義しても良い。例えば、該PHの報告条件は下記によう定義され得る。即ち、PHR禁止タイマーが切れた時、又は既に切れている時に、端末が新データ送信用の上りリソースを有し、且つ任意の１つの、D2Dリンクが多重化されたアクティブなサービングセルについて、そのD2Dリンクのパスロスが変化しており且つ１つの所定閾値を超えている場合、PHRをトリガーし、即ち、ユーザ装置が基地局に上述のパワーヘッドルーム報告メッセージを送信するようにトリガーする。
【００５５】
本実施例の方法により、UEが正確且つタイムリーにD2Dリンクのパワーヘッドルームを基地局に報告することができ、これにより、基地局は、より柔軟且つ有効にD2Dリンク及びセルラーリンクのリソースをスケジューリングすることができる。
【実施例２】
【００５６】
本発明の実施例では更にパワーヘッドルーム値の確定方法が提供され、該方法は実施例1のパワーヘッドルームの報告方法に対応し、ユーザ装置が実施例1の方法で基地局にPH値を報告する時に、該基地局は、本実施例の方法で、ユーザの報告した上りキャリアに対応するパワーヘッドルーム値のうち、どれがD2DリンクのPH値であり、どれがセルラーリンクのPH値であるかを確定する。
【００５７】
図10は本実施例の方法のフローチャートであり、図10に示すように、該方法は下記のステップを含む。
【００５８】
ステップ1001：基地局はユーザ装置が送信したパワーヘッドルーム報告メッセージを受信し、前記パワーヘッドルーム報告メッセージのうちD2Dリンクが多重化されたキャリアに対応する関連情報はD2DリンクのPH値及びセルラーリンクのPH値を含み；
ステップ1002：前記基地局は、システム構成によるD2DリンクのPH値及びセルラーリンクのPH値のパワーヘッドルーム報告メッセージにおける前後順序に基づいて、受信した全てのPH値がD2DリンクのPH値であるか、それとも、セルラーリンクのPH値であるかを確定する。
【００５９】
本実施例では、該パワーヘッドルーム報告メッセージは実施例1に記載のPH  MAC  CEである。
【００６０】
本実施例では、システムが、D2DリンクのPH値及びセルラーリンクのPH値の該PH  MAC  CE中の前後順序を事前に構成しているため、基地局が該PH  MAC  CEを受信した時に、システム構成に基づいて、該PH  MAC  CE中の全てのPH値のうちどれがD2DリンクのPH値であり、どれがセルラーリンクのPH値であるかを確定することができる。
【００６１】
例えば、図7に示すPH  MAC  CE構造を例とすると、基地局は、図7に示すようなPH  MAC  CEを受信した時に、システム構成に基づいて、該PH  MAC  CEのうち先に出現したPH値がセルラーリンクのPH値であり、後に出現したPH値がD2DリンクのPH値であると確定することができる。
【００６２】
また、例えば、図8に示すPH  MAC  CE構造を例とすると、基地局は、図8に示すようなPH  MAC  CEを受信した時に、基地局が、D2Dリンクがプライマリーセルの上りキャリアに多重化されていることを知るため、システム構成に基づいて、該プライマリーセルの上りキャリアに対応するPH値のうち、プライマリーセルのセルラーリンクのPH値が前に位置し、D2DリンクのPHが後に位置すると確定することができる。
【００６３】
また例えば、図9に示すPH  MAC  CE構造を例とすると、基地局は、図9に示すようなPH  MAC  CEを受信した時に、基地局が、D2Dリンクが某セカンダリーセルの上りキャリアに多重化されていることを知るため、システム構成に基づいて、該セカンダリーセルの上りキャリアに対応するPH値のうち、セカンダリーセルのセルラーリンクのPH値が前に在り、D2DリンクのPH値が後に在ると確定することができる。
【００６４】
複数のD2Dリンクが複数のセルの上りキャリアに多重化された時に、基地局は、D2Dリンクがどのセルの上りキャリアに多重化されているかを知るため、システム構成に基づいて、これらのセルの上りキャリアに対応するPH値のうち、セルラーリンクのPH値が前に在るか、それとも、D2DリンクのPH値が前に在るかを確定することができる。
【００６５】
本実施例の方法により、UEが正確且つタイムリーにD2Dリンクのパワーヘッドルームを基地局に報告することができ、これにより、基地局はより柔軟且つ有効にD2Dリンク及びセルラーリンクのリソースをスケジューリングすることができる。
【実施例３】
【００６６】
本発明の実施例では更にパワーヘッドルームの報告方法が提供される。図11は該方法のフローチャートであり、図11に示すように、該方法は下記のステップを含む。
【００６７】
ステップ1101：ユーザ装置は、PHの報告条件を満足した時に、基地局にパワーヘッドルーム報告メッセージを送信し、前記パワーヘッドルーム報告メッセージのうちD2Dリンクが多重化されたキャリアに対応する関連情報は、D2DリンクのPH値、セルラーリンクのPH値及びPH値指示情報を含み、そのうち、前記PH値指示情報はその対応するPH値がD2DリンクのPH値であるか、それとも、セルラーリンクのPH値であるかを指示するために用いられる。
【００６８】
そのうち、前記PH値指示情報は１つ、２つ、又は複数であって良く、本実施例ではこれについて限定しない。また、該PH値指示情報の値及びそれが指示するPH値のリンクタイプはシステムにより予め構成されて良く、例えば、システムは、該PH指示情報が文字“D”により表され、且つ、D=1が、その対応するPH値がD2DリンクのPH値であることを指示するように用いられ、D=0が、その対応するPH値がセルラーリンクのPH値であることを指示するように用いられると予め構成しても良い。
【００６９】
本実施例では、該パワーヘッドルーム報告メッセージはPH  MAC  CEである。該PH  MAC  CEはD2DリンクのPH値だけではなく、セルラーリンクのPH値も含み、端末（即ち、該ユーザ装置）は、１つのPH  MAC  CE中で同一キャリアに多重化されたD2DリンクのPH値及びセルラーリンクのPH値を同時に報告することを許し、PHRがトリガーされた時に、端末は、このキャリアに対応する位置で順にD2DリンクのPH値及びセルラーリンクのPH値を報告することができる。
【００７０】
実施例1との相違点は、本実施例では、該D2DリンクのPH値及び該セルラーリンクのPH値の該PH  MAC  CE中の相対位置が固定したものではなく、システムにより柔軟に構成されたものであることにある。本実施例では、システムが、１つの指示情報（PH値指示情報と言う）によりその報告する１つのPH値のリンクタイプを指示するように予め構成する。例えば、指示情報は、PH  MAC  CE中の１つの予備ビット（R）により実現されても良く、該予備ビットを用いてその対応するPH値がD2DリンクのPH値であるか、それとも、セルラーリンクのPH値であるかを指示し、このように、D2Dリンク及びセルラーリンクのPH値の間の順序は柔軟に構成することができる。
【００７１】
本実施例の１つの実施方式では、上りリンクが１つのみのキャリアを有し、該実施方式では、PH  MAC  CEが図12に示すような構造として構成されても良い。図12に示すように、該実施方式では、PH  MAC  CEも２つのPH値を含むが、そのうち、１つのPH値の前に、１つの予備ビットにより、該PH値のリンクタイプ（D2DリンクのPH値又はセルラーリンクのPH値）を指示する。図12の実施例では、システムが、該予備ビットが指示するその対応するPH値がD2DリンクのPH値であり、また、“D”と表されると予め構成したとする。例えば、D=1の時に、該PH値指示情報“D”に対応するPH値（即ち、図12中の第一行のPH値）がD2DリンクのPH値であり、もう１つのPH値（即ち、図12中の第二行のPH値）がセルラーリンクのPH値であり；D=0の時に、該PH値指示情報“D”に対応するPH値（即ち、図12中第一行のPH値）がセルラーリンクのPH値であり、もう１つのPH値（即ち、図12中の第二行のPH値）がD2DリンクのPH値であるとしても良い。もちろん、図12に示すPH  MAC  CEの構造は上りリンクが１つのみのキャリアを有する場合の例示説明用にすぎず、上りリンクが１つのみのキャリアを有する他の実施方式では、他の予備ビットを構成することで、その対応するPH値のリンクタイプを指示しても良い。
【００７２】
本実施例のもう１つの実施方式では、上りリンクが少なくとも１つのキャリアを有し、例えば、上りリンクが１つのキャリアを有し、又は上りリンクが複数のキャリアを有し、この場合、該実施方式では、D2Dリンクがプライマリーセルの上りキャリアに多重化されれば、PH  MAC  CEが図13に示す構造として構成されても良く；D2Dリンクがセカンダリーセルの上りキャリアに多重化されれば、PH  MAC  CEが図14に示す構造として構成されても良い。
【００７３】
図13に示すように、D2Dリンクがプライマリーセル（PCell）の上りキャリアに多重化された時に、システムは、１つのPH値指示情報“D”を用いて、その対応するPH値のリンクタイプを指示するように事前に構成することができる。システムが、PH値指示情報“D”が指示するその対応するPH値がD2DリンクのPH値であると予め構成すれば、ユーザ装置は、基地局にPH  MAC  CEを送信する時に、図13に示す構造で送信することができ、そのうち、該プライマリーセルの上りキャリアに対応するPH値のうち、中間の１つのPH値は、既にPH値指示情報“D”により指示されており（例えば、D=1）、これにより、中間の該PH値がD2DリンクのPH値であると確定することができる。もちろん、図13に示すPH  MAC  CEの構造は例示説明用にすぎず、本実施例では、該D2DリンクのPH値の該PH  MAC  CE中の位置について限定せず、ユーザ装置は、他の予備ビットを用いて該予備ビットに対応するPH値のリンクタイプを指示するように構成しても良く、また、該PH値指示情報は、文字“D”のみを使用することに限定されず、また、D2DリンクのPH値のみを指示し得ることにも限定されない。例えば、他の文字を用いて他のリンクのPH値を指示しても良い。また、図13では、D2DリンクのPH値がタイプ1であるが、これは例示説明用にすぎず、D2DリンクのPH値は他のタイプであっても良い。
【００７４】
図14に示すように、D2Dリンクがセカンダリーセル（SCelli）の上りキャリアに多重化された時に、システムは、１つのPH値指示情報“D”を用いてその対応するPH値のリンクタイプを指示するように予め構成しても良い。システムが、PH値指示情報“D”が指示するその対応するPH値がD2DリンクのPH値であると事前に構成すれば、ユーザ装置は、基地局にPH  MAC  CEを送信する時に、図14に示す構造で送信することができ、そのうち、該セカンダリーセル（SCelli）の上りキャリアに対応するPH値のうち、前の１つのPH値が既にPH値指示情報“D”により指示されており（例えば、D=1）、これにより、前の１つのPH値がD2DリンクのPH値であり、後の１つのPH値が該セカンダリーセルのセルラーリンクのPH値であると確定することができる。もちろん、図14に示すPH  MAC  CEの構造は例示説明用にすぎず、ユーザ装置は、他の予備ビットを用いて該予備ビットに対応するPH値のリンクタイプを指示するように予め構成しても良く、また、該PH値指示情報は、文字“D”のみを使用することに限定されず、また、D2DリンクのPH値のみを指示し得ることにも限定されない。例えば、他の文字を用いて他のリンクのPH値を指示するように事前に構成しても良い。また、図14では、D2DリンクのPH値がタイプ1であるが、これは例示説明用にすぎず、D2DリンクのPH値は他のタイプであっても良い。
【００７５】
複数のD2Dリンクが複数のセルの上りキャリアに多重化された時に、基地局は、D2Dリンクがどのセルの上りキャリアに多重化されているかを知るため、各D2Dリンクが多重化された上りキャリアに対応するPH値指示情報“D”に基づいて、その対応するPH値がD2DリンクのPH値であるか、それとも、セルラーリンクのPH値であるかを確定することができる。
【００７６】
オプションで、図13及び図14に示す実施方式では、該D2Dリンクの最大送信パワーを同時に報告しても良く、例えば、図13に示すPCMAX,c2又は図14に示すPCMAX,cnを同時に報告しても良く、これにより、基地局はこれに基づいて合理なスケジューリングを行うことができる。
【００７７】
本実施例では、PHの報告条件について、実施例1と同じであるように、従来のPHRトリガー条件（即ち、PHの報告条件）をそのまま用いても良いが、より良くD2Dリンクの信号特性を反映するために、該PHRについて新しいトリガー条件を定義しても良い。例えば、該PHの報告条件を下記のように定義しても良く、即ち、PHR禁止タイマーが切れた時、又は既に切れている時に、端末が新データ送信用の上りリソースを有し、且つ任意の１つの、D2Dリンクが多重化されたアクティブなサービングセルについて、そのD2Dリンクのパスロスが変化しており且つ１つの所定閾値を超えている場合、PHRをトリガーし、即ち、ユーザ装置が基地局に上述のパワーヘッドルーム報告メッセージを送信するようにトリガーする。
【００７８】
本実施例の方法により、UEが正確且つタイムリーにD2Dリンクのパワーヘッドルームを基地局に報告することができ、これにより、基地局は、より柔軟且つ有効にD2Dリンク及びセルラーリンクのリソースをスケジューリングすることができる。
【実施例４】
【００７９】
本発明の実施例では更にパワーヘッドルーム値の確定方法が提供され、該方法は、実施例3のパワーヘッドルームの報告方法に対応し、ユーザ装置が実施例3の方法で基地局にPH値を報告する時に、該基地局は、本実施例の方法でユーザの報告したその上りキャリアに対応するパワーヘッドルーム値のうち、どれがD2DリンクのPH値であり、どれがセルラーリンクのPH値であるかを確定することができる。
【００８０】
図15は本実施例の方法のフローチャートであり、図15に示すように、該方法は下記のステップを含む。
【００８１】
ステップ1501：基地局はユーザ装置が送信したパワーヘッドルーム報告メッセージを受信し、前記パワーヘッドルーム報告メッセージのうちD2Dリンクが多重化されたキャリアに対応する関連情報は、D2DリンクのPH値及びセルラーリンクのPH値、及びPH値指示情報を含み；
ステップ1502：前記基地局は前記PH値指示情報に基づいてその対応のPH値がD2DリンクのPH値であるか、それとも、セルラーリンクのPH値であるかを確定し、そして、受信した全てのPH値がD2DリンクのPH値であるか、それとも、セルラーリンクのPH値であるかを確定する。
【００８２】
そのうち、PH値指示情報は１つ、２つ、又は複数であっても良く、本実施例ではこれについて限定しない。
【００８３】
本実施例では、該パワーヘッドルーム報告メッセージは実施例3に記載のPH  MAC  CEである。
【００８４】
本実施例では、システムが、PH値指示情報及びその指示するその対応するPH値のリンクタイプを予め構成すれば、基地局は、該PH  MAC  CEを受信した後に、該PH値指示情報に基づいてその対応するPH値のリンクタイプを確定し、そして、受信したPH  MAC  CE中の全てのPH値のうちどれがD2DリンクのPH値であり、どれがセルラーリンクのPH値であるかを確定することができる。
【００８５】
例えば、図12に示すPH  MAC  CE構造を例とすると、基地局が図12に示すようなPH  MAC  CEを受信した時に、該PH  MAC  CE中のPH値指示情報“D”（例えば、D=1）に基づいて、該PH  MAC  CE中の該PH値指示情報“D”に対応するPH値がD2DリンクのPH値であり、該PH  MAC  CE中の他のPH値がセルラーリンクのPH値であると確定することができる。
【００８６】
また、例えば、図13に示すPH  MAC  CE構造を例とすると、基地局が図13に示すようなPH  MAC  CEを受信した時に、基地局が、D2Dリンクがセルラーリンクのプライマリーセルの上りキャリアに多重化されていることを知るため、該基地局は、該PH  MAC  CE中のPH値指示情報“D”（例えば、D=1）に基づいて、該プライマリーセルの上りキャリアに対応するPH値のうち、該PH値指示情報“D”に対応するPH値がD2DリンクのPH値であり、該プライマリーセルの上りキャリアに対応するPH値中の他のPH値がセルラーリンクのPH値であると確定することができる。
【００８７】
また、例えば、図14に示すPH  MAC  CE構造を例とすると、基地局が図14に示すようなPH  MAC  CEを受信した時に、基地局が、D2Dリンクがセルラーリンクの某セカンダリーセルの上りキャリアに多重化されていることを知るため、該基地局は、該PH  MAC  CE中のPH値指示情報“D”（例えば、D=1）に基づいて、該セカンダリーセルの上りキャリアに対応するPH値のうち、該PH値指示情報“D”に対応するPH値がD2DリンクのPH値であり、該セカンダリーセルの上りキャリアに対応するPH値中の他のPH値がセルラーリンクのPH値であると確定することができる。
【００８８】
複数のD2Dリンクが複数のセルの上りキャリアに多重化されている時に、基地局は、D2Dリンクがどのセルの上りキャリアに多重化されているかを知るため、各D2Dリンクが多重化された上りキャリアに対応するPH値指示情報“D”に基づいて、その対応するPH値がD2DリンクのPH値であるか、それとも、セルラーリンクのPH値であるかを確定することができる。
【００８９】
本実施例の方法により、UEが正確且つタイムリーにD2Dリンクのパワーヘッドルームを基地局に報告することができ、これにより、基地局はより柔軟且つ有効にD2Dリンク及びセルラーリンクのリソースをスケジューリングすることができる。
【実施例５】
【００９０】
本発明の実施例では更にパワーヘッドルームの報告方法が提供される。図16は該方法のフローチャートであり、図16に示すように、該方法は下記のステップを含む。
【００９１】
ステップ1601：ユーザ装置は、PHの報告条件を満足した時に、基地局にパワーヘッドルーム報告メッセージを送信し、前記パワーヘッドルーム報告メッセージのうちD2Dリンクが多重化されたキャリアに対応する関連情報は、D2DリンクのPH値又はセルラーリンクのPH値、及びPH値指示情報を含み、そのうち、前記PH値指示情報はその対応するPH値がD2DリンクのPH値であるか、それとも、セルラーリンクのPH値であるかを指示するために用いられる。
【００９２】
本実施例では、該パワーヘッドルーム報告メッセージはPH  MAC  CEである。端末は、１つのPH  MAC  CE中で同一キャリアに多重化された某リンクのPH値の報告のみを許し、即ち、D2DリンクのPH値であるか、それとも、セルラーリンクのPH値であるという報告のみを許す。
【００９３】
本実施例では、システムは、１つのPH値指示情報を用いてその対応するPH値のリンクタイプを指示するように予め構成している。PHRがトリガーされた時に、端末は、予め構成した指示情報（PH値指示情報という）を用いてPH値のリンクタイプを指示することができる。例えば、現在のPH  MAC  CE中の１つの予備ビットを用いて、対応するPH値がD2DリンクのPH値であるか、それとも、セルラーリンクのPH値であるかを指示し、このように、基地局は、受信したPH値に対応するリンクタイプを明確に把握することができる。
【００９４】
本実施例の１つの実施方式では、上りリンクが１つのみのキャリアを有し、該実施方式では、PH  MAC  CEが図17に示すような構造として構成されても良い。図17に示すように、該実施方式では、該PH  MAC  CEが１つのみのPH値を含むが、PH値指示情報“D”により該PH値のリンクタイプを指示し、そのうち、上述のように、該PH値指示情報“D”は、システムにより予め構成されたものである。上りリンクが１つのみのキャリアを有する時に、ユーザ装置は、図17に示す構造を以て基地局にPH  MAC  CEを送信することができる。もちろん、図17に示すPH  MAC  CEの構造は上りリンクが１つのみのキャリアを有する場合の例示説明用にすぎず、上りリンクが１つのみのキャリアを有する他の実施方式では、システムは、他の予備ビットを用いて該予備ビットに対応するPH値のリンクタイプを指示するように予め構成しても良い。
【００９５】
本実施例のもう１つの実施方式では、上りリンクが少なくとも１つのキャリアを有し、例えば、上りリンクが１つのキャリアを有し、又は上りリンクが複数のキャリアを有し、この場合、該実施方式では、D2Dリンクがプライマリーセルの上りキャリアに多重化されれば、PH  MAC  CEが図18に示す構造として構成されても良く；D2Dリンクがセカンダリーセルの上りキャリアに多重化されれば、PH  MAC  CEが図19に示す構造として構成されても良い。
【００９６】
図18に示すように、D2Dリンクがプライマリーセル（PCell）の上りキャリアに多重化されている時に、PH値指示情報“D”により、その報告するPH値のリンクタイプを指示し、例えば、D2DリンクのPH値である、又はPCellのセルラーリンクのPH値であるかを指示する。図18中のプライマリーセルのセルラーリンクのPH値は２種類のタイプを有し、即ち、タイプ1又はタイプ2である。このようなタイプのPH値を含むかどうかが上位層により設定され、これは、従来技術により解決し得るので、ここではその詳しい説明を省略する。本実施例では、PH値指示情報“D”を用いて、報告するPH値のリンクタイプを指示しても良い。ユーザ装置は、基地局にPH  MAC  CEを送信する時に、図18に示す構造を以て送信することができる。もちろん、図18に示すPH  MAC  CEの構造は例示説明用にすぎず、システムは、他の予備ビットを用いて報告するPH値のリンクタイプを指示するように事前に構成しても良い。また、図18中のPH値指示情報は、タイプ1のPH値のリンクタイプを指示しているが、システムは、PH値指示情報を用いて他のタイプのPH値のリンクタイプを指示しても良い。
【００９７】
図19に示すように、D2Dリンクがセカンダリーセル（SCelli）の上りキャリアに多重化された時に、PH値指示情報“D”により、その報告するPH値のリンクタイプを指示し、例えば、D2DリンクのPH値であり、又はSCelliのセルラーリンクのPH値であるかを指示する。ユーザ装置は、基地局にPH  MAC  CEを送信する時に、図19に示す構造を以て送信することができる。もちろん、図19に示すPH  MAC  CEの構造は例示説明用にすぎず、システムは、他の予備ビットを用いてその報告するPH値のリンクタイプを指示するように予め構成しても良い。また、図19中のPH値指示情報は、タイプ1のPH値のリンクタイプのみを指示するように用いられるが、システムは、PH値指示情報により、他のタイプのPH値のリンクタイプを指示することもできる。
【００９８】
複数のD2Dリンクが複数のセルの上りキャリアに多重化された時に、基地局は、D2Dリンクがどのセルの上りキャリアに多重化されているかを知るため、各D2Dリンクが多重化された上りキャリアに対応するPH値指示情報“D”に基づいて、その対応するPH値がD2DリンクのPH値であるか、それとも、セルラーリンクのPH値であるかを確定することができる。
【００９９】
オプションで、図18及び図19に示す実施方式では、その報告するPHがD2DリンクのPHである場合、その同時に該D2Dリンクの最大送信パワーを報告しても良く、例えば、図18に示すPCMAX,c2又は図19に示すPCMAX,cnを同時に報告しても良く、これにより、基地局は、これに基づいて合理なスケジューリングを行うことができる。
【０１００】
本実施例では、PHの報告条件は実施例1及び実施例3とは同じであり、従来のPHRトリガー条件（即ち、PHの報告条件）をそのまま用いることができるが、より良くD2Dリンクの信号特性を反映するために、該PHRについて新しいトリガー条件を定義することもできる。例えば、該PHの報告条件を下記のように定義しても良い。即ち、PHR禁止タイマーが切れた時、又は既に切れている時に、端末が新データ送信用の上りリソースを有し、且つ任意の１つ、D2Dリンクが多重化されたアクティブなサービングセルについて、そのD2Dリンクのパスロスが変化しており且つ１つの所定閾値を超えている場合、PHRをトリガーし、即ち、ユーザ装置が基地局に上述のパワーヘッドルーム報告メッセージを報告するようにトリガーする。
【０１０１】
本実施例の方法により、UEが正確且つタイムリーにD2Dリンクのパワーヘッドルームを基地局に報告することができ、これにより、基地局はより柔軟且つ有効にスD2Dリンク及びセルラーリンクのリソースをケジューリングすることができる。
【実施例６】
【０１０２】
本発明の実施例では更にパワーヘッドルーム値の確定方法が提供され、該方法は実施例5のパワーヘッドルームの報告方法に対応し、ユーザ装置が実施例5の方法で基地局にPH値を報告する時に、該基地局は本実施例の方法でユーザ報告のパワーヘッドルーム値のリンクタイプを確定することができる。
【０１０３】
図20は本実施例の方法のフローチャートであり、図20に示すように、該方法は下記のステップを含む。
【０１０４】
ステップ2001：基地局はユーザ装置が送信したパワーヘッドルーム報告メッセージを受信し、前記パワーヘッドルーム報告メッセージのうちD2Dリンクが多重化されたキャリアに対応する関連情報はD2DリンクのPH値又はセルラーリンクのPH値、及びPH値指示情報を含み；
ステップ2002：前記基地局は前記PH値指示情報に基づいて該PH値指示情報に対応するPH値がD2DリンクのPH値であるか、それとも、セルラーリンクのPH値であるかを確定する。
【０１０５】
本実施例では、該パワーヘッドルーム報告メッセージは実施例5に記載のPH  MAC  CEである。
【０１０６】
本実施例では、システムが、報告するPH値のリンクタイプを指示するためのPH値指示情報を予め構成しているため、基地局が、該PH  MAC  CEを受信した後に、該PH値指示情報に基づいてその対応するPH値のリンクタイプを確定することができる。
【０１０７】
例えば、図17に示すPH  MAC  CE構造を例とすると、基地局は、図17に示すPH  MAC  CEを受信した時に、該PH  MAC  CE中のPH値指示情報“D”に基づいて、該ユーザ装置が報告したPH値のリンクタイプを確定することができる。
【０１０８】
また、例えば、図18に示すPH  MAC  CE構造を例とすると、基地局は、図18に示すPH  MAC  CEを受信した時に、該PH  MAC  CE中のPH値指示情報“D”に基づいて、該プライマリーセル（PCell）の上りキャリアに対応するタイプ1のPH値のリンクタイプを確定することができる。
【０１０９】
また、例えば、図19に示すPH  MAC  CE構造を例とすると、基地局は、図19に示すPH  MAC  CEを受信した時に、該PH  MAC  CE中のPH値指示情報“D”に基づいて、該セカンダリーセル（SCelli）の上りキャリアに対応するタイプ1のPH値のリンクタイプを確定することができる。
【０１１０】
複数のD2Dリンクが複数のセルの上りキャリアに多重化された時に、基地局は、D2Dリンクがどのセルの上りキャリアに多重化されいるかを知るために、各D2Dリンクが多重化された上りキャリアに対応するPH値指示情報“D”に基づいて、その対応するPH値がD2DリンクのPH値であるか、それとも、セルラーリンクのPH値であるかを判断することができる。
【０１１１】
本実施例の方法により、UEが正確且つタイムリーにD2Dリンクのパワーヘッドルームを基地局に報告することができ、これにより、基地局はより柔軟及び有効にD2Dリンク及びセルラーリンクのリソースをスケジューリングすることができる。
【０１１２】
本発明の実施例では更にユーザ装置が次の実施例7に記載のように提供され、該ユーザ装置が問題を解決する原理が実施例1の方法とは同じであるため、その具体的な実施は実施例1の方法の実施を参照することができ、そのため、重複説明が省略される。
【実施例７】
【０１１３】
本発明の実施例ではユーザ装置が提供される。図21は該ユーザ装置の構成を示す図である。図21に示すように、該ユーザ装置は下記のユニットを含む。
【０１１４】
送信ユニット211：PHの報告条件を満足した時に、基地局にパワーヘッドルーム報告メッセージを送信し、前記パワーヘッドルーム報告メッセージのうちD2Dリンクが多重化されたキャリアに対応する関連情報はD2DリンクのPH値及びセルラーリンクのPH値を含み、そのうち、前記D2DリンクのPH値及び前記セルラーリンクのPH値は前記パワーヘッドルーム報告メッセージにおける順序がシステム構成により予め設定されたものである。
【０１１５】
そのうち、前記パワーヘッドルーム報告メッセージはPH  MAC  CEである。
【０１１６】
そのうち、前記PHの報告条件は、
PHR禁止タイマーが切れた時、又は既に切れている時に、前記ユーザ装置が新データ送信用の上りリソースを有し、且つ任意の１つの、D2Dリンクが多重化されたアクティブなサービングセルについて、そのD2Dリンクのパスロスが変化しており且つ予め設定された所定閾値を超えている、ということである。
【０１１７】
本実施例のユーザ装置により、正確且つタイムリーにD2Dリンクのパワーヘッドルームを基地局に報告することができ、これにより、基地局は、より柔軟且つ有効にD2Dリンク及びセルラーリンクのリソースをスケジューリングすることができる。
【０１１８】
本発明の実施例では更に基地局が次の実施例8に記載のように提供され、該基地局が問題を解決する原理が実施例2の方法とは同じであるので、その具体的な実施は、実施例2の方法の実施を参照することができ、そのため、重複記載が省略される。
【実施例８】
【０１１９】
本発明の実施例では更に基地局が提供される。図22は該基地局の構成を示す図である。図22に示すように、該基地局は下記のユニットを含む。
【０１２０】
受信ユニット221：ユーザ装置が送信したパワーヘッドルーム報告メッセージを受信し、前記パワーヘッドルーム報告メッセージのうちD2Dリンクが多重化されたキャリアに対応する関連情報はD2DリンクのPH値及びセルラーリンクのPH値を含み；
確定ユニット222：システム構成によるD2DリンクのPH値及びセルラーリンクのPH値のパワーヘッドルーム報告メッセージにおける前後順序に基づいて、受信した全てのPH値がD2DリンクのPH値であるか、それとも、セルラーリンクのPH値であるかを確定する。
【０１２１】
そのうち、前記パワーヘッドルーム報告メッセージはPH  MAC  CEである。
【０１２２】
本実施例の基地局により、より柔軟且つ有効にD2Dリンク及びセルラーリンクのリソースをスケジューリングすることができる。
【０１２３】
本発明の実施例では更にユーザ装置が次の実施例9に記載のように提供され、該ユーザ装置が問題を解決する原理が実施例3の方法とは同じであるので、その具体的な実施は実施例3の方法の実施を参照することができ、そのため、重複記載が省略される。
【実施例９】
【０１２４】
本発明の実施例ではユーザ装置が提供される。図23は該ユーザ装置の構成を示す図である。図23に示すように、該ユーザ装置は下記のユニットを含む。
【０１２５】
送信ユニット231：PHの報告条件を満足した時に、基地局にパワーヘッドルーム報告メッセージを送信し、前記パワーヘッドルーム報告メッセージのうちD2Dリンクが多重化されたキャリアに対応する関連情報はD2DリンクのPH値、セルラーリンクのPH値及びPH値指示情報を含み、そのうち、前記PH値指示情報はその対応するPH値がD2DリンクのPH値であるか、それとも、セルラーリンクのPH値であるかを指示するために用いられる。
【０１２６】
そのうち、前記パワーヘッドルーム報告メッセージはPH  MAC  CEである。
【０１２７】
そのうち、前記PHの報告条件は、
PHR禁止タイマーが切れた時、又は既に切れている時に、前記ユーザ装置が新データ送信用の上りリソースを有し、且つ任意の１つの、D2Dリンクが多重化されたアクティブなサービングセルについて、そのD2Dリンクのパスロスが変化しており且つ予め設定された所定閾値を超えている、ということである。
【０１２８】
本実施例のユーザ装置により、正確且つタイムリーにD2Dリンクのパワーヘッドルームを基地局に報告することができ、これにより、基地局は、より柔軟且つ有効にD2Dリンク及びセルラーリンクのリソースをスケジューリングすることができる。
【０１２９】
本発明の実施例では更に基地局が次の実施例10に記載のように提供され、該基地局が問題を解決する原理が実施例4の方法とは同じであるため、その具体的な実施は実施例4の方法の実施を参照することができ、そのため、重複説明が省略される。
【実施例１０】
【０１３０】
本発明の実施例では基地局が提供される。図24は該基地局の構成を示す図である。図24に示すように、該基地局は下記のユニットを含む。
【０１３１】
受信ユニット241：ユーザ装置が送信したパワーヘッドルーム報告メッセージを受信し、前記パワーヘッドルーム報告メッセージのうちD2Dリンクが多重化されたキャリアに対応する関連情報はD2DリンクのPH値及びセルラーリンクのPH値及びPH値指示情報を含み；
確定ユニット242：前記PH値指示情報に基づいて、該PH値指示情報に対応するPH値がD2DリンクのPH値であるか、それとも、セルラーリンクのPH値であるかを確定し、そして、受信した全てのPH値がD2DリンクのPH値であるか、それとも、セルラーリンクのPH値であるかを確定する。
【０１３２】
そのうち、前記パワーヘッドルーム報告メッセージはPH  MAC  CEである。
【０１３３】
本実施例の基地局により、より柔軟且つ有効にD2Dリンク及びセルラーリンクのリソースをスケジューリングすることができる。
【０１３４】
本発明の実施例では更にユーザ装置が次の実施例11に記載のように提供され、該ユーザ装置が問題を解決する原理が実施例5の方法とは同じであるので、その具体的な実施は実施例5の方法の実施を参照することができ、そのため、重複記載が省略される。
【実施例１１】
【０１３５】
本発明の実施例ではユーザ装置が提供される。図25は該ユーザ装置の構成を示す図である。図25に示すように、該ユーザ装置は下記のユニットを含む。
【０１３６】
送信ユニット251：PHの報告条件を満足した時に、基地局にパワーヘッドルーム報告メッセージを送信し、前記パワーヘッドルーム報告メッセージのうちD2Dリンクが多重化されたキャリアに対応する関連情報はD2DリンクのPH値又はセルラーリンクのPH値、及びPH値指示情報を含み、そのうち、前記PH値指示情報は該PH値指示情報に対応するPH値がD2DリンクのPH値であるか、それとも、セルラーリンクのPH値であるかを指示するために用いられる。
【０１３７】
そのうち、前記パワーヘッドルーム報告メッセージはPH  MAC  CEである。
【０１３８】
そのうち、前記PHの報告条件は、
PHR禁止タイマーが切れた時、又は既に切れている時に、前記ユーザ装置が新データ送信用の上りリソースを有し、且つ任意の１つの、D2Dリンクが多重化されたアクティブなサービングセルについて、そのD2Dリンクのパスロスが変化しており且つ予め設定された所定閾値を超えている、ということである。
【０１３９】
本実施例のユーザ装置により、正確且つタイムリーにD2Dリンクのパワーヘッドルームを基地局に報告することができ、これにより、基地局は、より柔軟且つ有効にD2Dリンク及びセルラーリンクのリソースをスケジューリングすることができる。
【０１４０】
本発明の実施例では更に基地局が次の実施例12に記載のように提供され、該基地局が問題を解決する原理が実施例6の方法とは同じでありので、その具体的な実施は実施例6の方法の実施を参照することができ、そのため、重複説明が省略される。
【実施例１２】
【０１４１】
本発明の実施例では基地局が提供される。図26は該基地局の構成を示す図である。図26に示すように、該基地局は下記のユニットを含む。
【０１４２】
受信ユニット261：ユーザ装置が送信したパワーヘッドルーム報告メッセージを受信し、前記パワーヘッドルーム報告メッセージのうちD2Dリンクが多重化されたキャリアに対応する関連情報はD2DリンクのPH値又はセルラーリンクのPH値、及びPH値指示情報を含み；
確定ユニット262：前記PH値指示情報に基づいて、該PH値指示情報に対応するPH値がD2DリンクのPH値であるか、それとも、セルラーリンクのPH値であるかを確定する。
【０１４３】
そのうち、前記パワーヘッドルーム報告メッセージはPH  MAC  CEである。
【０１４４】
本実施例の基地局により、より柔軟且つ有効にD2Dリンク及びセルラーリンクのリソースをスケジューリングすることができる。
【０１４５】
本発明の実施例では更に通信システムが提供され、そのうち、前記通信システムは実施例7に記載のユーザ装置及び実施例8に記載の基地局を含み、又は、前記通信システムは実施例9に記載のユーザ装置及び実施例10に記載の基地局を含み、又は、前記通信システムは実施例11に記載のユーザ装置及び実施例12に記載の基地局を含む。
【０１４６】
本発明の実施例ではコンピュータ読み取り可能なプログラムが更に提供され、そのうち、基地局中で該プログラムを実行する時に、該プログラムは、コンピュータに、前記基地局中で実施例2、4又は6に記載のパワーヘッドルーム値の確定方法を実行させる。
【０１４７】
本発明の実施例ではコンピュータ読み取り可能なプログラムを記憶した記憶媒体が更に提供され、そのうち、該コンピュータ読み取り可能なプログラムは、コンピュータに、基地局中で実施例2、4、又は6に記載のパワーヘッドルーム値の確定方法を実行させる。
【０１４８】
本発明の実施例ではコンピュータ読み取り可能なプログラムが更に提供され、そのうち端末装置中で該プログラムを実行する時に、該プログラムは、コンピュータに、前記端末装置中で実施例1、3又は5に記載のパワーヘッドルームの報告方法を実行させる。
【０１４９】
本発明の実施例ではコンピュータ読み取り可能なプログラムを記憶した記憶媒体が更に提供され、そのうち、該コンピュータ読み取り可能なプログラムは、コンピュータに、端末装置中で実施例1、3、又は5に記載のパワーヘッドルームの報告方法を実行させる。
【０１５０】
本発明の以上の装置及び方法は、ハードウェアにより実現されても良く、ハードウェアとソフトウェアとの組み合わせにより実現されても良い。本発明はさらに下記のようなコンピュータ読み取り可能なプログラムに関し、即ち、該プログラムは、ロジック部品により実行される時に、該ロジック部品に、上述の装置又は構成部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明はさらに、上述のプログラムを記憶した記憶媒体、例えば、ハードディスク、磁気ディスク、光ハードディスク、DVD、flashメモリなどにも関する。
【０１５１】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2016509414.tif 000003
【図２】
2016509414.tif 000004
【図３】
2016509414.tif 000005
【図４】
2016509414.tif 000006
【図５】
2016509414.tif 000007
【図６】
2016509414.tif 000008
【図７】
2016509414.tif 000009
【図８】
2016509414.tif 000010
【図９】
2016509414.tif 000011
【図１０】
2016509414.tif 000012
【図１１】
2016509414.tif 000013
【図１２】
2016509414.tif 000014
【図１３】
2016509414.tif 000015
【図１４】
2016509414.tif 000016
【図１５】
2016509414.tif 000017
【図１６】
2016509414.tif 000018
【図１７】
2016509414.tif 000019
【図１８】
2016509414.tif 000020
【図１９】
2016509414.tif 000021
【図２０】
2016509414.tif 000022
【図２１】
2016509414.tif 000023
【図２２】
2016509414.tif 000024
【図２３】
2016509414.tif 000025
【図２４】
2016509414.tif 000026
【図２５】
2016509414.tif 000027
【図２６】
2016509414.tif 000028
【国際調査報告】
2016509414.tif 000029
2016509414.tif 000030
2016509414.tif 000031
2016509414.tif 000032